(57)【要約】      （修正有）【課題】種々の用途に適応可能な棒状ライトを提供する。【解決手段】棒状ライト１００は、内部に発光体を有する棒状ライト１００に連結される保持部１２０とを備え、保持部１２０は、胴体部１１０が連結される側とは反対側の端部に、他の部材が着脱可能に連結される連結部１２３を有する。【選択図】図１
2015035387.tif 000002
【特許請求の範囲】
【請求項１】
内部に発光体を有する棒状ライトであって、該棒状ライトは、
胴体部と、
前記胴体部に連結される保持部と
を備え、
前記保持部は、前記胴体部が連結される側とは反対側の端部に、他の部材が着脱可能に連結される連結部を有する棒状ライト。
【請求項２】
前記胴体部は、前記保持部が連結される側とは反対側の端部に、前記発光体が発する光を遮蔽するヘッド部を有することを特徴とする請求項１に記載の棒状ライト。
【請求項３】
前記ヘッド部は、前記発光体が発する光の一部を透過させるための図形形状からなる切り込み部を有することを特徴とする請求項２に記載の棒状ライト。
【請求項４】
前記保持部は、前記発光体の発光条件を制御するための制御部を有することを特徴とする請求項１〜３のいずれか一項に記載の棒状ライト。
【請求項５】
前記保持部は、さらに、前記制御部に対して、前記発光条件の切り替え指示を与えるスイッチ部を有することを特徴とする請求項４に記載の棒状ライト。
【請求項６】
前記他の部材がキャップ部材であり、
前記棒状ライトは、さらに、前記連結部に着脱可能に連結された前記キャップ部材を備えることを特徴とする請求項１〜５のいずれか一項に記載の棒状ライト。
【請求項７】
前記他の部材が指掛け部材であり、
前記棒状ライトは、さらに、前記連結部に着脱可能に連結された前記指掛け部材を備えることを特徴とする請求項１〜５のいずれか一項に記載の棒状ライト。
【請求項８】
前記他の部材がリング部材であり、
前記棒状ライトは、さらに、前記連結部に着脱可能に連結された前記リング部材を備えることを特徴とする請求項１〜５のいずれか一項に記載の棒状ライト。
【発明の詳細な説明】
【技術分野】
【０００１】
本発明は、棒状ライトに関し、特に、他の部材が着脱可能に連結される連結部を有する棒状ライトに関するものである。
【背景技術】
【０００２】
近年、コンサート等の暗所で行われるイベントにおいて、観客が種々の発光物を振って出演者に声援を送る光景が一般的になってきた。
【０００３】
特に、特許文献１に示されるような、ペン型の発光物を振る場合においては、両手に１本ずつ発光物を持つ場合のみならず、両手に複数本ずつ発光物を持ち、曲に合わせて発光物を振りかざして声援を送ることもなされている。
【０００４】
しかしながら、片手で複数本の発光物を持った場合、これら発光物を振りかざした際に、勢い余って手から発光物が飛んで行って他の観客にぶつかり、怪我をさせてしまうおそれがある。
【０００５】
このような事態を改善するため、使用者が持ち易いように設計された発光物なども開発されているが、その形状は様々であり、それぞれが特定の用途ごとに設計されたものであった。
【先行技術文献】
【特許文献】
【０００６】
【特許文献１】特開平９−２８２９０２号公報
【発明の概要】
【発明が解決しようとする課題】
【０００７】
本発明の目的は、上記問題を解決し、種々の用途に適応可能な棒状ライトを提供することにある。
【課題を解決するための手段】
【０００８】
本発明の棒状ライトは、内部に発光体を有する棒状ライトであって、該棒状ライトは、胴体部と、胴体部に連結される保持部とを備え、保持部は、胴体部が連結される側とは反対側の端部に、他の部材が着脱可能に連結される連結部を有することを特徴とする。
【０００９】
上記胴体部は、保持部が連結される側とは反対側の端部に、発光体が発する光を遮蔽するヘッド部を有することができる。
【００１０】
上記ヘッド部は、発光体が発する光の一部を透過させるための図形形状からなる切り込み部を有することができる。
【００１１】
上記保持部は、発光体の発光条件を制御するための制御部を有することができる。
【００１２】
上記保持部は、さらに、制御部に対して、発光条件の切り替え指示を与えるスイッチ部を有することができる。
【００１３】
上記他の部材がキャップ部材であり、棒状ライトは、さらに、連結部に着脱可能に連結されたキャップ部材を備えることができる。
【００１４】
上記他の部材が指掛け部材であり、棒状ライトは、さらに、連結部に着脱可能に連結された指掛け部材を備えるのが好ましい。
【００１５】
上記他の部材がリング部材であり、棒状ライトは、さらに、連結部に着脱可能に連結されたリング部材を備えるのが好ましい。
【発明の効果】
【００１６】
本発明の棒状ライトは、保持部が、胴体部が連結される側とは反対側の端部に、他の部材が着脱可能に連結される連結部を有することにより、種々の用途に適応することができる。
【図面の簡単な説明】
【００１７】
【図１】本発明の第一の実施形態に従う棒用ライトの正面図を模式的に示す
【図２】本発明の第一の実施形態に従う棒用ライトおよびキャップ部の正面図を模式的に示す
【図３】本発明の第一の実施形態に従う棒用ライトおよび指掛け部の正面図を模式的に示す
【図４】本発明の第一の実施形態に従う棒用ライトおよびリング部の正面図を模式的に示す
【図５】本発明の第一の実施形態に従う棒用ライトのキャップ部の平面図を模式的に示す
【図６】本発明の第二の実施形態に従う棒用ライトの正面図を模式的に示す
【図７】本発明の第三の実施形態に従う棒用ライトの正面図を模式的に示す
【図８】本発明の第四の実施形態に従う棒用ライトの正面図を模式的に示す
【発明を実施するための形態】
【００１８】
本発明の棒状ライトの実施形態について、図面を参照しながら説明する。
【００１９】
図１は、本発明の第一の実施形態に従う棒状ライトの正面図を示したものである。図１に示すように、本発明の第一の実施形態に従う棒状ライト１００は、内部に発光体を有する棒状ライト１００であって、この棒状ライト１００は、胴体部１１０と、保持部１２０とを備える。
【００２０】
胴体部１１０は、発光体の発光の様子が外から確認できるように透過性を有したものをいう。例えば、半透明のプラスチックやガラス等で構成されることができる。
【００２１】
発光体は、例えば、化学発光の原理を用いるもの、または、電球や発光ダイオード等の光を発する部材をいう。特に、消費電力が小さく、かつ、寿命が長い等の理由から、発光ダイオードを用いるのが好ましい。また、発光体は、単一の発光色を発光するものとすることもできるし、複数の発光色を発光するものとすることもできる。
【００２２】
保持部１２０は、胴体部１１０に連結される。また、上記発光体が電力を必要とする場合には、この保持部１２０は、内部に、上記発光体に電力を供給するための電源を有することができる。
【００２３】
電源は、乾電池やボタン電池等とするのが好ましいが、例えばバッテリーのように、外部電源と接続し、電力の供給を受けるものとしてもよい。
【００２４】
また、保持部１２０は、胴体部１１０が連結される側１２１とは反対側の端部１２２に、他の部材が着脱可能に連結される連結部１２３を有する。
【００２５】
連結部１２３の構造は、図１に示すようなねじ構造とすることができるが、他の部材と連結されることが可能な構造であれば特に限定されない。なお、他の部材にも、連結部１２３の構造に対応した構造が設けられるものとする。
【００２６】
上記他の部材としては、例えば、キャップ部材、指掛け部材、リング部材などが挙げられる。
【００２７】
キャップ部材とは、例えば図２に示すようなキャップ状の部材２１０である。これは、例えば後述する指掛け部材やリング部材等の特殊な形状の部材を連結しない場合に用いられるものであり、いわゆる一般的な通常の棒状ライトとして用いる場合に適した部材である。
【００２８】
指掛け部材とは、例えば図３に示すような指掛け用の部材２２０である。これは、例えば、片手で複数の棒状ライトを持つ場合に、隣り合う指と指との間に棒状ライトを挟み易くするための部材である。
【００２９】
リング部材とは、例えば図４に示すようなリング状の部材２３０である。これは、例えば、片手で複数の棒状ライトを持つ場合に、環状に複数の棒状ライト配置するための部材である。
【００３０】
保持部１２０は、発光体の発光条件を制御するための制御部を有するのが好ましい。
【００３１】
制御部は、制御回路を有したものをいい、具体的にはＣＰＵやＩＣチップ等の基板回路が挙げられる。制御部では発光体の発光条件として、例えば発光体の照度、点滅速度、点滅色等を制御する。
【００３２】
保持部１２０は、図１〜４に示すように、さらに、上記制御部に対して、発光条件の切り替え指示を与えるスイッチ部１２４を有するのが好ましい。スイッチ部１２４は、押下された回数によって、点滅速度等を変化させるよう制御部に指示を与えるよう構成するのが好ましい。
【００３３】
また、図５（ａ）に示すように、胴体部１１０は、保持部１２０が連結される側１１１とは反対側の端部１１２に、発光体が発する光を遮蔽するヘッド部１１３を有するのが好ましい。端部１１２の方向への光の照度を抑えるためである。
【００３４】
ヘッド部１１３は、例えばアルミ等の金属片で構成することができる。
【００３５】
また、図５（ｂ）に示すように、このヘッド部１１３は、発光体が発する光の一部を透過させるための図形形状からなる切り込み部１１３ａを有するのが好ましい。
【００３６】
切り込み部１１３ａは、線状の図形形状であり、星や王冠のような図形や、文字としてもよい。また、切り込み部１１３ａは照度を十分に抑えられる程度の幅とするのが好ましい。
【００３７】
また、保持部１２０は、ストラップ等を装着可能な穴部を有することもできる。
【００３８】
さらに、保持部１２０は、電源を取り外すための電源蓋を有することもできる。
【００３９】
加えて、胴体部１１０は、内側に、装飾シートを有するのが好ましい。装飾シートとは、特定の波長の光が透過可能なシートのことをいう。すなわち、光の色を変える効果がある。また、装飾シートは、表面に複数の凹凸を備え、光を乱反射させるものであってもよい。具体的には、セロファン、塩化ビニール、フィルム等が挙げられる。装飾シートは胴体部１１０の内周に沿うように配置するのが好ましい。
【００４０】
図６は、本発明の第二の実施形態に従う棒状ライトの正面図を示したものである。図６に示すように、本発明の第二の実施形態において、上記他の部材はキャップ部材２１０であり、本発明の第二の実施形態に従う棒状ライト１００は、さらに、連結部１２３に着脱可能に連結されたキャップ部材２１０を備えるのが好ましい。
【００４１】
図７は、本発明の第三の実施形態に従う棒状ライトの正面図を示したものである。図７に示すように、本発明の第三の実施形態において、上記他の部材は指掛け部材２２０であり、本発明の第三の実施形態に従う棒状ライト１００は、さらに、連結部１２３に着脱可能に連結された指掛け部材２２０を備えるのが好ましい。
【００４２】
図８は、本発明の第四の実施形態に従う棒状ライトの正面図を示したものである。図８に示すように、本発明の第四の実施形態において、上記他の部材はリング部材２３０であり、本発明の第四の実施形態に従う棒状ライトは、さらに、連結部１２３に着脱可能に連結されたリング部材２３０を備えるのが好ましい。なお、図８では、リング部材２３０に複数の第一の実施形態に従う棒状ライトを着脱可能に連結することで、第四の実施形態に従う棒状ライトを構成している。
【００４３】
このように、本発明の棒状ライトは、必要に応じて利用者が他の部材を取り換えることができるため、種々の用途に適応することができる。
【００４４】
上述したところは、代表的な実施形態の例を示したものであって、本発明はこの実施形態に限定されるものではない。
【符号の説明】
【００４５】
１００    棒状ライト
１１０    胴体部
１１３    ヘッド部
１１３ａ  切り込み部
１２０    保持部
１２３    連結部
１２４    スイッチ部
２１０    キャップ部材
２２０    指掛け部材
２３０    リング部材
【図１】
2015035387.tif 000003
【図２】
2015035387.tif 000004
【図３】
2015035387.tif 000005
【図４】
2015035387.tif 000006
【図５】
2015035387.tif 000007
【図６】
2015035387.tif 000008
【図７】
2015035387.tif 000009
【図８】
2015035387.tif 000010